(57)【要約】    【課題】  昇温しても色光と照度分布を適切に制御し、原稿の画像情報を良好に読取ることができる画像読取装置に好適な照明系をえること。    【解決手段】  画像情報を、読取光学系４を介して主走査方向に配列されたラインセンサ５の上に結像させ、該画像情報を得る画像読取装置に用いられる該画像情報を照明するための照明系であって、該照明系は、主走査方向に配列された複数のＬＥＤ１ｃを有し、該複数のＬＥＤの配置は、中央領域に比べて周辺領域で配置密度が高く、該複数のＬＥＤは、中央領域に配置したＬＥＤの発色と、周辺領域に配置したＬＥＤの発色が発光初期において色味が異なっているＬＥＤが用いられていること。【選択図】    図１
2008304675.tif 000002
【特許請求の範囲】
【請求項１】
画像情報を、読取光学系を介して主走査方向に配列されたラインセンサの上に結像させ、該画像情報を得る画像読取装置に用いられる該画像情報を照明するための照明系であって、
該照明系は、主走査方向に配列された複数のＬＥＤを有し、該複数のＬＥＤの配置は、中央領域に比べて周辺領域で配置密度が高く、該複数のＬＥＤは、中央領域に配置したＬＥＤの発色と、周辺領域に配置したＬＥＤの発色が発光初期において色味が異なっているＬＥＤが用いられていることを特徴とする照明系。
【請求項２】
前記複数のＬＥＤは、発光後、５分経過後の発色の色味が中央領域と周辺領域で同じになるように中央領域に配置したＬＥＤと、周辺領域に配置したＬＥＤの発色の構成が異なっていることを特徴とする請求項１に記載の照明系。
【請求項３】
画像情報を、読取光学系を介して主走査方向に配列されたラインセンサの上に結像させ、該画像情報を得る画像読取装置に用いられる該画像情報を照明するための照明系であって、
該照明系は、主走査方向に配列された複数のＬＥＤを有し、該複数のＬＥＤの配置は、中央領域に比べて周辺領域で配置密度が高く、ＣＩＥ色度座標における中央領域に配置したＬＥＤの発色の色座標を各々中央部Ｃｘ、中央部Ｃｙとし、周辺領域に配置したＬＥＤの発色の色座標を各々周辺部Ｃｘ、周辺部Ｃｙとするとき、発光初期において、
（中央部Ｃｘ＋0.0025）≧（周辺部Ｃｘ）≧（中央部Ｃｘ＋0.0015）  
（中央部Ｃｙ＋0.0031）≧（周辺部Ｃｙ）≧（中央部Ｃｙ＋0.0021）  
なる条件を満足することを特徴とする照明系。
【請求項４】
前記中央領域に配置される複数のＬＥＤの配置間隔は、４ｍｍ以上５ｍｍ以下の範囲であり、前記周辺領域に配置される複数のＬＥＤの配置間隔は、１．５ｍｍ以上３ｍｍ以下の範囲であることを特徴とする請求項１、２又は３に記載の照明系。
【請求項５】
前記複数のＬＥＤは、発光する青色光を黄色い蛍光体に照明して、該ＬＥＤから放射される色光を制御する構成より成っていることを特徴とする請求項１乃至４のいずれか１項に記載の照明系。
【請求項６】
請求項１乃至５のいずれか１項に記載の照明系と、該照明系からの光束で照明された原稿の画像情報を結像する読取光学系と、該読取光学系で結像した画像情報を読取るラインセンサを有しいていることを特徴とする画像読取装置。
【発明の詳細な説明】
【技術分野】
【０００１】
本発明はイメージスキャナー、複写機、ファクシミリ等、原稿を照明して原稿の画像情報を線順次方式で読取る際に好適な照明系及びそれを用いた画像読取装置に関する。
【背景技術】
【０００２】
従来よりイメージスキャナー、複写機、ファクシミリ等、原稿を照明して原稿の画像情報を線順次方式でラインセンサを用いて読取り行う画像読取装置が知られている。
【０００３】
この画像読取装置では、読取光学系やラインセンサ等の読み取り用の各部材を筐体内に収納したキャリッジを副走査方向にライン走査している。読取光学系は、その画像情報を、ラインセンサ（CCD）面上に結像させている。そしてラインセンサから得られる出力信号を利用して、原稿等の画像情報を読み取るようにしている。
【０００４】
図５は従来のキャリッジ一体型走査方式の画像読取装置の要部概略図である。
【０００５】
同図において照明光源１から放射された光束は直接、原稿台（原稿台ガラス）２に載置した原稿７を照明している。そして原稿７からの反射光束を順に第１、第２、第３反射ミラー３a、３ｂ、３ｃを介してキャリッジ６内部でその光路を折り曲げている。そして結像レンズ（結像光学系）４により原稿７の画像情報をラインセンサ５面上に結像させている。そしてキャリッジ６をモーター８により図５に示す矢印Ａ方向（ラインセンサ５の配列方向（主走査方向）と直交する副走査方向）に移動させることにより原稿７の画像情報を読み取っている。
【０００６】
同図におけるラインセンサ５は複数の受光素子を１次元方向（主走査方向）に配列した構成により成り立っている。
【０００７】
原稿１を照明している照明光源１は、棒状のキセノン管や蛍光灯が多く使用されている。キセノン管は、その管の蛍光色により緑色のものや白色に発光するものが用いられ、緑色のキセノン管はモノクロ用として、白色はカラー画像の読み取り用の光源として用いられてきている。キセノン管は大光量が得られる反面、発熱が大きく、その温度は１００度を超える。また消費電力も大きい。
【０００８】
これに対し蛍光灯は、発熱が小さく消費電力が少ない。蛍光灯は熱陰極管のものと冷陰極管とがあるが、構成をシンプルにでき、小型に向いている面から冷陰極管のものが多く用いられている。
【０００９】
図６は図５の画像読取装置の光学系の基本構成の説明図である。
【００１０】
図中、１４４は結像光学系である。１４５Ｒ，１４５Ｇ，１４５Ｂは各々ラインセンサ１４５を構成するＲ（赤色），Ｇ（緑色），Ｂ（青色）の各色を読み取るラインセンサである。１４７Ｒ，１４７Ｇ，１４７Ｂはラインセンサ１４５Ｒ，１４５Ｇ，１４５Ｂに対応する原稿面１４７上の読み取り範囲である。
【００１１】
原稿面１４７を副走査方向に走査することによってある時間間隔をおいて同一箇所を異なる色で読み取ることができる。
【００１２】
前記構成において結像光学系１４４に屈折系を用いると多くの場合、軸上色収差や倍率色収差が発生する。このため基準のラインセンサ１４５Ｇに対し、他のラインセンサ１４５Ｂ，１４５Ｒに結像されるライン像にデフォーカスあるいは位置ズレが発生する。
【００１３】
そうすると各色画像を重ね合わせてカラー画像を再現したときに色にじみやズレの目立つ画像になる。つまり高開口、高解像度の高い性能が要求される場合には、これらの色収差を良好に補正する必要がある。
【００１４】
最近、非共軸光学系において、基準軸という概念を導入し構成面を非対称非球面にすることで、収差を良好に補正した光学系が知られている（特許文献１〜３）。
【００１５】
こうした非共軸光学系はオフアキシャル光学系（像中心と瞳中心を通る光線に沿った基準軸を考えた時、構成面の基準軸との交点における面法線が基準軸上にない曲面（オフアキシャル曲面）を含む光学系として定義される。このとき、基準軸は折れ曲がった形状となる。
【００１６】
このオフアキシャル光学系は、構成面が一般には非共軸となり、反射面でもケラレが生じないため、反射面を使った光学系の構築がし易いという特徴がある。また、光路の引き回しが比較的自由に行える、構成面を一体成型する手法で一体型の光学系を作りやすい等という特徴がある。
【００１７】
このオフアキシャル光学系を画像読取装置の結像光学系に用いたものが知られている（特許文献４、５）。
【００１８】
特許文献４では、画像読取装置において色収差の少ない収差が良好に補正された５面、または６面の反射面からなるオフアキシャル光学系を開示している。また特許文献４ではキャリッジ一体型に好適な光学系を開示している。
【００１９】
また特許文献５では、３面の反射面からなるオフアキシャル光学系を開示している。特許文献５では、所謂２：１ミラー走査型のスキャナーへ適用するのに十分な光路長の光学系を開示している。
【特許文献１】特開平９−５６５０号公報
【特許文献２】特開平８−２９２３７１号公報
【特許文献３】特開平８−２９２３７２号公報
【特許文献４】特開２００２−３３５３７５号公報
【特許文献５】特開２００３−５７５４９号公報
【発明の開示】
【発明が解決しようとする課題】
【００２０】
白色用の光源として、ＬＥＤ（Light Emission Diode）が知られている。この白色用のＬＥＤは、青い発光点に黄色い蛍光体を被せる構成より成っている。このＬＥＤは、光量が比較的多く、単一で白色光が得られるので複数揃えれば画像読取装置用の照明系として利用することができる。例えば副走査方向に読取りラインを移動していく画像読取装置において、主走査方向の画像幅に複数個並べれば、画像の読み取りに充分な光量を得ることができる。
【００２１】
ＬＥＤによる照明系は、単一の発光点の集合体より構成することができるので多くのメリットがある。
【００２２】
一般に結像光学系で原稿を読取る際、結像光学系を周辺画角まで開口効率を１００％に維持し、照明系で原稿を均一に照明したとしても、結像光学系の画角によるｃｏｓ４乗則による画面周辺で照度が低下する。
【００２３】
撮影視野片側の画角が２０度以下のような結像光学系の場合、画面周辺で減光があっても軸上に対して９０％以上の光量が確保される。このためシェーディングにより補正が充分可能である。
【００２４】
近年、装置全体のコンパクト化のために光学系がコンパクトになっている。つまり光路長を短縮した広画角な結像光学系が用いられている。例えば視野片側３０度を超えるような広画角な結像光学系を用いると、画面周辺の光量は軸上に比べて９０％以下となる。
【００２５】
このような結像光学系を用いるとシェーディング補正が困難となり画質の劣化を招いてしまう。このためには点列発光光源のＬＥＤを主走査方向に一様にＬＥＤを配列するのではなく、画面周辺の減光状態を補正するように周辺部に多くのＬＥＤを配置すれば、周辺での光量を向上させることができる。
【００２６】
つまり、充分な光量が得られる軸上近傍に対して、光量減少が多く起る主走査周辺部付近でＬＥＤの配置個数を増やして（配置密度を高くして）、軸上に対する周辺光量の比率を高くすれば良い。
【００２７】
こうすることにより、結像光学系を通してラインセンサに到達する際の主走査方向の光量分布が一律の照明系が得られる。
【００２８】
図４は画面周辺の光量が増加するように複数のＬＥＤを主走査方向に並べたときの原稿面上の光量分布の一例である。
【００２９】
図４では軸上から周辺部にかけてＬＥＤ同士の間隔を４．５ｍｍから２ｍｍへと徐々に変化させている。これにより周辺部のピークでは軸上の約２倍の光量となっている。ここでは原稿幅１４５ｍｍまでのｃｏｓ４乗則の逆数となるような光量分布になるように構成している。
【００３０】
以上のような構成によれば画面周辺での減光でシェーディングが劣化することなく、良好な画像を得ることができる。
【００３１】
このように白色光を放射するＬＥＤは、画像読取装置の照明系に好適である。
【００３２】
ＬＥＤはキセノン管等に比べて発熱が少ないが、それでも連続点灯すると５０℃〜７０℃くらいまで昇温し、それに伴い発光する色（色味）が微小ながら変化する。
【００３３】
ＬＥＤを用いて照明系を構成する場合、主走査方向でＬＥＤの配置密度を変化させた場合、配置した密度でＬＥＤの昇温量が変わる。つまり昇温した時の温度が主走査方向の場所により異なってくる。
【００３４】
そうすると主走査方向で照明光の色に差が発生し、同じ色を読取っても画像情報として読取られる際の「色」が主走査方向で異なってくる。
【００３５】
昇温を低く抑えるためには、ＬＥＤに流す電流値を低く抑えれば良い。しかしながら、この方法では原稿を照明するための充分な光量を得るのが難しくなる。必要な光量を得るには、ＬＥＤの数を増加しなければならなくなってくる。あるいは冷却装置を付加して昇温を抑える方法を用いると画像読取装置の構成が複雑になってくる。
【００３６】
本発明は白色光を放射するＬＥＤを使った照明系において、昇温しても色光と照度分布を適切に制御し、原稿の画像情報を良好に読取ることができる画像読取装置に好適な照明系の提供を目的とする。
【課題を解決するための手段】
【００３７】
本発明の照明系は、
画像情報を、読取光学系を介して主走査方向に配列されたラインセンサの上に結像させ、該画像情報を得る画像読取装置に用いられる該画像情報を照明するための照明系であって、
該照明系は、主走査方向に配列された複数のＬＥＤを有し、該複数のＬＥＤの配置は、中央領域に比べて周辺領域で配置密度が高く、該複数のＬＥＤは、中央領域に配置したＬＥＤの発色と、周辺領域に配置したＬＥＤの発色が発光初期において色味が異なっているＬＥＤが用いられていることを特徴としている。
【００３８】
この他、本発明の照明系は、
画像情報を、読取光学系を介して主走査方向に配列されたラインセンサの上に結像させ、該画像情報を得る画像読取装置に用いられる該画像情報を照明するための照明系であって、
該照明系は、主走査方向に配列された複数のＬＥＤを有し、該複数のＬＥＤの配置は、中央領域に比べて周辺領域で配置密度が高く、ＣＩＥ色度座標における中央領域に配置したＬＥＤの発色の色座標を各々中央部Ｃｘ、中央部Ｃｙとし、周辺領域に配置したＬＥＤの発色の色座標を各々周辺部Ｃｘ、周辺部Ｃｙとするとき、発光初期において、
（中央部Ｃｘ＋0.0025）≧（周辺部Ｃｘ）≧（中央部Ｃｘ＋0.0015）  
（中央部Ｃｙ＋0.0031）≧（周辺部Ｃｙ）≧（中央部Ｃｙ＋0.0021）  
なる条件を満足することを特徴としている。
【発明の効果】
【００３９】
本発明によれば昇温しても色光と照度分布を適切に制御し、原稿の画像情報を良好に読取ることができる画像読取装置に好適な照明系が得られる。
【発明を実施するための最良の形態】
【００４０】
以下、図面を用いて本発明の実施例を説明する。
【実施例１】
【００４１】
図１は本発明の照明系を採用した画像読取装置１０の実施例１を示す要部概略図である。
【００４２】
図２は図１の画像読取装置に搭載される画像読取り用キャリッジユニット６の要部概略図である。
【００４３】
本実施例の動作について説明する。まず原稿７を原稿台（原稿台ガラス）２上にセットした後、読取り開始の指示を与える。そうすると、キャリッジユニット６は駆動手段により矢印６ａで示す副走査方向の所定の位置へ移動し、読み取り時の明るさや色の基準となる白色板(不図示）を読み込む。
【００４４】
続いてキャリッジユニット６は副走査方向（図１中、矢印６ａ方向）へ移動を開始する。キャリッジユニット６は移動しながら原稿台ガラス２に積載された原稿７を照明ユニット１からの光束により照明する。
【００４５】
照明されて読取られる原稿７の画像情報からの光束は、途中、反射ミラー３ａ、３ｂ、３ｃ、３ｄにより光路を折り曲げられながら２枚の反射型のオフアキシャル光学素子４ａ，４ｂより成る結像光学系４へと導かれる。そして結像光学系４により複数のセンサを主走査方向に配列したセンサ(ラインセンサ）５へと結像される。キャリッジユニット６を副走査方向へと移動しながら原稿７の画像情報を順次読み込んでいく。
【００４６】
照明ユニット１（１Ｌ、１Ｒ）は読取り光路を副走査方向に挟んで主走査方向に２列になって配置されており、それぞれ主走査方向(紙面垂直方向）に複数のＬＥＤがラインセンサ５のセンサ配列方向に配列されている。
【００４７】
副走査方向を挟んだ２つの照明ユニット１Ｌ、１Ｒは、読取りの光軸４ｍを挟んで対称に配置され、双方の構成は同じである。このため図面に向かって左側の照明ユニット１Ｌを例にとり説明する。
【００４８】
図３は照明ユニット１Ｌの副走査断面内の要部概略図である。
【００４９】
照明ユニット１Ｌは発光源であるＬＥＤ１ｃが主走査方向（ここでは紙面奥手方向）に複数配設されたＬＥＤアレイ１ｆを有し、電気回路基板（基板）１ｄ上にそれぞれ半田付け固定されて電源(不図示）から電力を供給されて点灯する。
【００５０】
ここで使用しているＬＥＤ１ｃは、基板１ｄへ半田付けする端子と光束の射出面が垂直の関係になっている平坦なもので、発光点が青色でその周辺を黄色の蛍光体で被っている。これによりＬＥＤ１ｃが点灯すると全体として白色光が放射されるようになっている。
【００５１】
つまり複数のＬＥＤ１ｃは、発光する青色光を黄色い蛍光体に照明して、該ＬＥＤ１ｃから放射される色光を制御する構成より成っている。
【００５２】
また、１ａ、１ｂは各々反射板であり、金属を鏡面仕上げした光沢面を内側にして結像光学系４の読み取り位置を効率よく照明するよう向かい合うように配置されている。
【００５３】
反射板１ａ，１ｂは主走査方向の画像読取りラインとなるラインセンサ５の幅相当の副走査幅を照明するようＬＥＤアレイ１ｆからの光束を反射するよう設定されていている。尚、反射板１ａは図３に示しているように反射面の途中で折り曲げられた形状をしている。
【００５４】
これらの反射板１ａ，１ｂは特に金属である必要は無く、同じような鏡面の樹脂等反射部材として利用できる材質であれば何でも構わない。
【００５５】
反射ミラー３ａ、３ｂ、３ｃ，３ｄはそれぞれ画像読取りラインからの光束を折り返すもので、それぞれ使用する光路幅により主走査方向の幅が異なっている。
【００５６】
反射ミラー３ａ、３ｂ、３ｃ，３ｄの材質はガラスであり、表面には反射面として使用するためにアルミ蒸着が施されている。
【００５７】
結像光学系４は原稿７とラインセンサ５を共役関係で結像させるもので、２枚の反射面からなるオフアキシャル光学系である。結像光学系４はＦナンバー６．０、主走査方向の画角のうち片側で３６度をもつ広画角な光学系である。原稿７からラインセンサ５までの光路長は２５０ｍｍとなっている。
【００５８】
本実施例の読取光学系は、反射部材のみで構成された光学系であるので、屈折結像レンズを用いた光学系と比較して原理的に色収差が発生しないという特徴を持つ。
【００５９】
ラインセンサ５は図６のセンサ１４５に示す模式図と同じような３ラインのＣＣＤ（ラインセンサ）からなる。ラインセンサ５を構成する３つのラインセンサでそれぞれＲ（赤），Ｇ（緑），Ｂ（青）色として画像情報を読取り、電気信号に変換して画像処理部(不図示）において画像処理される。
【００６０】
次にキャリッジユニット６に使用されている照明ユニット１Ｌの特徴について説明する。
【００６１】
図３に示したように平坦なＬＥＤ１ｃを主走査方向に複数配列した照明ユニット１Ｌは、４９個のＬＥＤ１ｃと４８個のＬＥＤ１ｃをそれぞれ基板１ｄ上に２列搭載した構成よりなっている。
【００６２】
複数のＬＥＤの主走査方向に並べる間隔（ピッチ）は一定ではない。図７に示すように主走査中央（結像光学系４の光軸４ｍを含む領域、中央領域）では４．５ｍｍ（４ｍｍ以上５ｍｍ以下）、端部領域（周辺領域）では２ｍｍ（１．５ｍｍ以上３ｍｍ以下）の配置間隔となっている。
【００６３】
つまり、主走査中央（結像光学系４の光軸４ｍを含む領域、中央領域）では４ｍｍ以上５ｍｍ以下の範囲となり、端部領域（周辺領域）では１．５ｍｍ以上３ｍｍ以下の範囲となっている。
【００６４】
その途中は図７に示すように読取る結像光学系４の画角のｃｏｓ４乗の逆数となるよう配置されている。
【００６５】
先述したように、原稿を単に均一に照明すると画像読取り用の結像光学系４の画角によって画面周辺で光量が減少する。この結果、ラインセンサ５で原稿の主走査方向の端部の画像情報を読取るのが不十分と成り、画像情報の画質が劣化してくる。
【００６６】
そこで、本実施例では結像光学系４で読取るときの画面周辺での光量の減少を補正している。具体的には画面端部の光量を適切に与えることで、画像情報である原稿面上の画像が図８に示すような光量分布でラインセンサ５面上に届く（集光）ようにしている。
【００６７】
図８では、横軸を主走査方向の位置（像高）を示し、縦軸を軸外（周辺部）の光量／軸上（中央部）の光量の比率を示している。
【００６８】
図８に示すように、ラインセンサ５上における軸上（中央部）の光量と軸外（周辺部）の光量の差を減少させて、主走査方向に伸びたラインセンサ５上の全領域で均一な光量分布を実現している。
【００６９】
このように本実施例における照明系は、主走査方向に配列された複数のＬＥＤは、読取光学系の読取り画角による周辺減光を補正するよう間隔が設定されている。あるいは光路中に配置された光路折り返しのための反射光学素子の反射画角特性も含めて考慮し、その間隔が設定されて配列されている。この方法で原稿７上の主走査方向の照明の光量分布を制御している。
【００７０】
主走査方向に配置する複数のＬＥＤ１ｃは、同じ形のものであればいいと言うわけではなく、色味の違いを示す「ランク」という区分に注目することが必要となる。
【００７１】
本実施例に使用される白色のＬＥＤは、青色の発光色を黄色い蛍光体に当てて白色を得ている。この発光原理から、その発光色である青と、発光部に付加される蛍光体の量がいつも同一であることが望ましい。
【００７２】
しかし、現実には発光点の青色の波長や付加される蛍光体の量（厚み）が一定ではなく、わずかに差があるため結果として得られる「白色」に微妙な差が出てしまう。
【００７３】
そこで類似する色味のものをまとめて「ランク」という形で区別している。
【００７４】
本実施例のような照明系に使用されるＬＥＤは、基本的には同じランクのものを使用する。但し、後述するように発光初期（発光から３分経過まで）は中央領域と周辺領域で色味の異なるＬＥＤを用いている。
【００７５】
ここで「色味が異なる」とは発光分光特性が異なることを言う。
【００７６】
ＬＥＤは点灯すると、キセノン管程ではないが時間と共にＬＥＤ自身が昇温していく。それに伴ってわずかずつ発光する色(色相)がずれていく。
【００７７】
図９（ａ）、およびその拡大図である図９（ｂ）は昇温と色味の変化を示しているが、時間と共に昇温していくＬＥＤの発光色は、少しずつＣＩＥ色座標（ＣＩＥ色度図）上を移動していく。
【００７８】
本実施例で使用しているＬＥＤは図９（ａ）のＣＩＥ色座標において、軸上近傍のＬＥＤは常温（２０℃〜３０℃）時は点Ａの位置であり、これが昇温（３０℃〜６０℃）すると点Ｂへと変化する。
【００７９】
ところが主走査方向の周辺部の色光の色座標は常温時は同じく点Ａにあるが、昇温時には点Ｃへと変化してしまう。この結果、昇温すると主走査方向の中央部と周辺部で異なる色光で照明されてしまう。これは図１０に示すように、ＬＥＤの配置上の主走査方向の密集度の差により昇温に差が出ていることに起因する。
【００８０】
図１０においてΔは画面中心から距離１４７ｍｍ離れた画面周辺部(像高１４７ｍｍ）の温度変化を示している。
【００８１】
つまり、主走査方向の周辺部の光量アップのために、図７の周辺部領域７０ａ，７０ｃで示した範囲では主走査方向の中央部領域７０ｂに比べてＬＥＤの間隔が狭くなっており、約倍ほどの高い密集度になっている。そのため熱がこもりやすく昇温が進んでしまい、周辺部領域７０ａ，７０ｂでは中央部領域７０ｂよりも色の変化が大きくなる。
【００８２】
ここで、昇温を抑えるために冷却の機構を備える方法がある。しかしながら、この方法は、新たに装置を付加することとなり、構成の簡略化、コンパクト化を妨げる要因になる。また消費電力の増加にもなる。
【００８３】
ここでの色の変化量が許容できるのであれば問題は無いが、高精細な画質を求められる装置はこの差が問題となる場合があり、補正する必要がある。
【００８４】
そこで、本実施例では予め画面周辺部に配置するＬＥＤを点灯時間が経過するのにつれて図１１の点ｄ’で示したＣＩＥ色座標で示すように変化するＬＥＤを採用している。
【００８５】
つまり、ＬＥＤの発色に関するＣＩＥ色座標の関係は、画面中央部と画面周辺部において、
（中央部Ｃｘ＋0.0025）≧（周辺部Ｃｘ）≧（中央部Ｃｘ＋0.0015）  
（中央部Ｃｙ＋0.0031）≧（周辺部Ｃｙ）≧（中央部Ｃｙ＋0.0021）  
なる条件を満足するようにＬＥＤを設定している。
【００８６】
これによって昇温後において、ＬＥＤの発色はＣＩＥ色度座標上で点Ｂ（色座標はＢ）となり、主走査方向での照明光の色光の差が少なくなる。
【００８７】
本実施例で採用しているＬＥＤの色座標は、常温において
軸上近傍〜±110mm（７割像高）               Ｃｘ：0.282  Ｃｙ：0.289
主走査方向、軸上から距離110mm以上の外側    Ｃｘ：0.283  Ｃｙ：0.292
となっている。
【００８８】
ＬＥＤの発色光を図１１で説明すると、軸上における色座標Ｃｘは曲線ａで、色座標Ｃｙは曲線ｃで示すように昇温と共に色座標が変化していく。
【００８９】
それに対し、主走査方向の端部像高では色座標Ｃｘは曲線ｂ、色座標Ｃｙは曲線ｄのように変化していき、５分後(所定時間後）には色座標が軸上近傍と大きく離れてしまう。
【００９０】
これを前述のように設定すれば、曲線ｂ→曲線ｂ’、曲線ｄ→曲線ｄ’のようになり、５分経った状態では端部も軸上も同じ色（色座標）になることがわかる。
【００９１】
つまり本実施例では複数のＬＥＤは、発光後、５分経過後の発色の色味が中央領域と周辺領域で同じになるように中央領域に配置したＬＥＤと、周辺領域に配置したＬＥＤの発色構成が異なっている。
【００９２】
本実施例では照度分布の設定で、軸上光量の１．５倍を超える主走査方向の片側（１１０ｍｍ像高）から色味の違うＬＥＤを用いているが、これに限られるわけでは無く、ＬＥＤの配置関係から設定すればよい。
【００９３】
常温時の発色の違いは多少あるが、図１１に示したように２〜３分後には軸上近傍と周辺部での色座標の差は少なくなる。このため、装置の立上げ時に２分程度ブランク発光させておくなどすれば差は解消されるため実用上問題がない。
【００９４】
ただ、これは本実施例のような軸上近傍と主走査方向の周辺部でＬＥＤの実装密度と色味の違うＬＥＤを配置している場合に特に有効である。単に主走査方向に均一にＬＥＤを配置している場合や、同じ色味のＬＥＤを並べた場合には昇温した際に主走査方向で照明光の色味に変化の差が起ってしまう。
【００９５】
そこで本実施例では複数のＬＥＤを読取光学系の光軸を含む中央領域に比べて光軸外の領域を含む周辺領域の配置密度が高くなるようにし、このとき中央領域に配置したＬＥＤの発色と周辺領域に配置したＬＥＤの発色が発光初期において異なるＬＥＤを用いている。
【００９６】
これによって昇温時においても良好なる色光で原稿を照明することができ、高画質の画像情報を得ている。
【実施例２】
【００９７】
次に本発明の実施例２について説明する。
【００９８】
実施例２では複数のＬＥＤの基本的な配列は実施例１の配列と同じである。本実施例では主走査方向の片側でＬＥＤの種類を３種類に分けて配置している。
【００９９】
常温２５℃での各ＬＥＤの色座標設定は
（主走査軸上近傍＋100〜−100mm  Ｃｘ：0.282    Ｃｙ：0.289
主走査両側        100〜  120mm  Ｃｘ：0.283    Ｃｙ：0.290
主走査両側        120mm以上     Ｃｘ：0.284    Ｃｙ：0.292
である。昇温が大きい周辺部は実施例１と同等であるが、軸上と周辺部との間に中間部を設けて実施例１よりも色味の変化が滑らかになるように設定している。これにより立ち上がり時間の早い段階で読み取っても色味の変化が目立たちにくくなり、画像読取り速度の向上を図っている。
【０１００】
尚、以上の各実施例において、ＬＥＤの発光の色味の制御は、発光部に付加する蛍光体の量及び質を変えて行う方法を用いることができる。
【０１０１】
以上のように各実施例では、画像読み取り方向の周辺領域の光量を多くするために中央領域（軸上近傍）に比べて周辺領域（主走査方向の周辺部）でＬＥＤの実装密度を高めている。このとき主走査方向でＬＥＤの昇温に不均一の分布ができて照射光の色光が変化してくる。
【０１０２】
そこで本実施例では、予めＬＥＤの発光初期における発光色を適切に設定している。これによって昇温時の主走査方向の色味の差を解消し、より高画質な画像の読取りを容易にしている。また冷却装置等を付加せずに済むので装置全体を簡素化することができる。
【０１０３】
尚、各実施例１、２では一体型（フラットベッド型）の画像読取装置に本発明の照明系を適用したが、これに限らず、例えば２：１ミラー走査型の画像読取装置に適用しても本発明は上述の実施例と同様に適用することができる。
【図面の簡単な説明】
【０１０４】
【図１】本発明の画像読取装置の実施例１を示す概略図
【図２】図１のキャリッジユニットを示す概略図
【図３】図１の照明ユニットの断面図
【図４】本発明に係わる照明系による主走査方向の照度分布を示す概略図
【図５】従来のキャリッジ一体型の画像読取装置を示す概略図
【図６】３ラインＣＣＤの画像読取りの様子を示す概略図
【図７】本発明に係わるＬＥＤの主走査方向配列を示す概略図
【図８】色座標上を昇温により変化する様子を示す説明図
【図９】色座標上を昇温により変化する様子を示す説明図及びその拡大図
【図１０】時間と共に変化するＬＥＤの昇温の様子を示す説明図
【図１１】ＬＥＤの点灯時間と色座標変化の様子と、それを補正する様子を示す図
【符号の説明】
【０１０５】
１  照明系
１ａ，１ｂ  反射板
１Ｌ，１Ｒ  照明ユニット
２  原稿台
３  反射ミラー
４  読取光学系
５  ラインセンサ
６  キャリッジユニット
７  原稿
８  圧板
１０  画像読取装置
７０ｂ  中央領域
７０ａ，７０ｃ  周辺領域
【図８】
2008304675.tif 000003
【図９】
2008304675.tif 000004
【図１０】
2008304675.tif 000005
【図１１】
2008304675.tif 000006
【図１】
2008304675.tif 000007
【図２】
2008304675.tif 000008
【図３】
2008304675.tif 000009
【図４】
2008304675.tif 000010
【図５】
2008304675.tif 000011
【図６】
2008304675.tif 000012
【図７】
2008304675.tif 000013